(57)【要約】【課題】  デジタルコンテンツに対応するアイコン画像に関するユーザ調査をより適切に行う。【解決手段】  一実施形態に係るサーバは、調査対象デジタルコンテンツと非調査対象デジタルコンテンツとを含む複数のデジタルコンテンツにそれぞれ対応する複数の選択領域を有する１回目の選択用画面を表示し、この複数のデジタルコンテンツにそれぞれ対応する複数の選択領域を有する２回目の選択用画面であって、調査対象デジタルコンテンツに対応するアイコン画像は１回目の選択用画面におけるアイコン画像と異なるアイコン画像が用いられ、非調査対象デジタルコンテンツに対応するアイコン画像は１回目の選択用画面におけるアイコン画像と同一のアイコン画像が用いられる２回目の選択用画面を表示する。【選択図】  図３
2015197887.tif 000002
【特許請求の範囲】
【請求項１】
１又は複数の端末装置と通信可能に接続されたサーバであって、
情報を記憶する記憶装置と、
所定の命令を実行する１又は複数の物理的なプロセッサと、を備え、
前記物理的なプロセッサは、前記所定の命令を実行することによって、
デジタルコンテンツに対応するアイコン画像を含むと共にユーザによって選択可能な複数の選択領域を有する選択用画面であって、１又は複数の調査対象デジタルコンテンツと１又は複数の非調査対象デジタルコンテンツとを含む複数のデジタルコンテンツにそれぞれ対応する複数の選択領域を有する第１の選択用画面を前記端末装置に表示させ、
前記第１の選択用画面が有する前記複数の選択領域のうち少なくとも１つの選択領域の前記ユーザによる選択結果を前記記憶装置に記憶させ、
前記複数のデジタルコンテンツにそれぞれ対応する複数の選択領域を有する第２の選択用画面であって、前記調査対象デジタルコンテンツに対応するアイコン画像は前記第１の選択用画面におけるアイコン画像と異なるアイコン画像が用いられ、前記非調査対象デジタルコンテンツに対応するアイコン画像は前記第１の選択用画面におけるアイコン画像と同一のアイコン画像が用いられる前記第２の選択用画面を前記端末装置に表示させ、
前記第２の選択用画面が有する前記複数の選択領域のうち少なくとも１つの選択領域の前記ユーザによる選択結果を前記記憶装置に記憶させる、
サーバ。
【請求項２】
前記複数のデジタルコンテンツにそれぞれ対応する前記複数の選択領域は、前記第１の選択用画面及び前記第２の選択用画面において、所定方向に同一の順序で配置されている請求項１に記載のサーバ。
【請求項３】
前記第２の選択用画面は、前記第１の選択用画面が有する前記複数の選択領域のうち少なくとも１つの選択領域の前記ユーザによる選択に応じて前記端末装置に表示される請求項１又は２に記載のサーバ。
【請求項４】
請求項１ないし３いずれかに記載のサーバであって、
前記物理的なプロセッサは、前記所定の命令を実行することによって、
前記第１の選択用画面が有する前記複数の選択領域のうち前記ユーザによって選択された選択領域に含まれるアイコン画像、及び、前記第２の選択用画面が有する前記複数の選択領域のうち前記ユーザによって選択された選択領域に含まれるアイコン画像に関し、当該アイコン画像毎のアンケートの回答を前記ユーザによって入力可能な回答用画面を前記端末装置に表示させ、
前記回答用画面を介して入力された前記アンケートの回答結果を前記記憶装置に記憶させる、
サーバ。
【請求項５】
前記回答用画面は、前記アイコン画像にそれぞれ対応する複数のタブと、前記ユーザによる前記タブの選択に応じて当該選択されたタブに対応するアイコン画像のアンケートの回答が入力可能となるタブページとを有する請求項４に記載のサーバ。
【請求項６】
前記回答用画面は、前記タブに、当該タブに対応する前記アイコン画像を含む請求項５に記載のサーバ。
【請求項７】
前記回答用画面の前記タブページは、前記選択されたタブにかかわらず同一の前記アンケートの設問が表示されると共に、前記選択されたタブ毎に異なる表示態様で表示される請求項５又は６に記載のサーバ。
【請求項８】
１又は複数の端末装置と通信可能に接続されたサーバであって、
情報を記憶する記憶部と、
前記端末装置に画面を表示させる表示制御部と、
前記端末装置から前記画面を介して受け付けた情報を前記記憶部に記憶させる記憶制御部と、を備え、
前記表示制御部は、デジタルコンテンツに対応するアイコン画像を含むと共にユーザによって選択可能な複数の選択領域を有する選択用画面であって、１又は複数の調査対象デジタルコンテンツと１又は複数の非調査対象デジタルコンテンツとを含む複数のデジタルコンテンツにそれぞれ対応する複数の選択領域を有する第１の選択用画面を前記端末装置に表示させ、
前記記憶制御部は、前記第１の選択用画面が有する前記複数の選択領域のうち少なくとも１つの選択領域の前記ユーザによる選択結果を前記記憶装置に記憶させ、
前記表示制御部は、前記複数のデジタルコンテンツにそれぞれ対応する複数の選択領域を有する第２の選択用画面であって、前記調査対象デジタルコンテンツに対応するアイコン画像は前記第１の選択用画面におけるアイコン画像と異なるアイコン画像が用いられ、前記非調査対象デジタルコンテンツに対応するアイコン画像は前記第１の選択用画面におけるアイコン画像と同一のアイコン画像が用いられる前記第２の選択用画面を前記端末装置に表示させ、
前記記憶制御部は、前記第２の選択用画面が有する前記複数の選択領域のうち少なくとも１つの選択領域の前記ユーザによる選択結果を前記記憶装置に記憶させる、
サーバ。
【請求項９】
１又は複数のコンピュータによって実行される方法であって、
デジタルコンテンツに対応するアイコン画像を含むと共にユーザによって選択可能な複数の選択領域を有する選択用画面であって、１又は複数の調査対象デジタルコンテンツと１又は複数の非調査対象デジタルコンテンツとを含む複数のデジタルコンテンツにそれぞれ対応する複数の選択領域を有する第１の選択用画面を表示し、
前記第１の選択用画面が有する前記複数の選択領域のうち少なくとも１つの選択領域の前記ユーザによる選択結果を記憶し、
前記複数のデジタルコンテンツにそれぞれ対応する複数の選択領域を有する第２の選択用画面であって、前記調査対象デジタルコンテンツに対応するアイコン画像は前記第１の選択用画面におけるアイコン画像と異なるアイコン画像が用いられ、前記非調査対象デジタルコンテンツに対応するアイコン画像は前記第１の選択用画面におけるアイコン画像と同一のアイコン画像が用いられる前記第２の選択用画面を表示し、
前記第２の選択用画面が有する前記複数の選択領域のうち少なくとも１つの選択領域の前記ユーザによる選択結果を記憶する、
方法。
【発明の詳細な説明】
【技術分野】
【０００１】
本発明は、サーバ及び方法に関し、詳しくは、１又は複数の端末装置と通信可能に接続されたサーバ及び１又は複数のコンピュータによって実行される方法に関する。
【背景技術】
【０００２】
従来より、スマートフォン等の端末装置のユーザに対して様々なデジタルコンテンツ（例えば、アプリケーション、映画、音楽、及び電子書籍等）が提供されている。一般に、こうしたデジタルコンテンツを取得する際には、ユーザはデジタルコンテンツを配信するコンテンツ配信サイトにアクセスする。コンテンツ配信サイトでは、様々なデジタルコンテンツが、例えばジャンル毎に一覧表示されるようになっており、ユーザは、この一覧表示されたデジタルコンテンツの中から所望のデジタルコンテンツを選択して取得する。デジタルコンテンツが一覧表示される際には、スマートフォン等の画面スペースの制約等によって、それ程多くの情報を表示することができないため、デジタルコンテンツに対応するアイコン画像、タイトル及び価格等の限られた情報のみが表示されることが多い。こうした情報の中でも特にアイコン画像は、ユーザに対して視覚的、直感的な印象を与えることができるから、デジタルコンテンツの提供者にとって、ユーザを惹き付けるようなアイコン画像を採用することは重要であると言える。
【０００３】
一方、ユーザの嗜好を調査するために、アンケートの設問に対する回答を携帯電話等の端末装置を用いてユーザに入力させるシステムが提案されている（例えば、特許文献１参照）。こうしたシステムを用いて、上述したアイコン画像に関するユーザの印象を調査することも考えられる。
【先行技術文献】
【特許文献】
【０００４】
【特許文献１】特開２０１０−１８３２９３号公報
【発明の概要】
【発明が解決しようとする課題】
【０００５】
しかしながら、こうしたアンケートの回答をユーザに入力させる手法では、例えば、アイコン画像に対するユーザの印象をアンケートによって得られたとしても、ユーザによるデジタルコンテンツの選択へと実際に繋がるようなアイコン画像を採用できるとは限らない。例えば、アンケートの設問に対して回答する際と、上述したコンテンツ配信サイト等において所望のデジタルコンテンツを選択する際とでは、ユーザが抱くアイコン画像に対する視覚的、直感的な印象は異なることがあり得る。特に、アンケートの回答を入力するための画面と、上述したコンテンツ配信サイト等においてデジタルコンテンツを一覧表示する画面との間で画面構成が大きく異なる場合には、ユーザの抱く印象もまた大きく異なってしまう可能性がある。
【０００６】
本発明の実施形態は、デジタルコンテンツに対応するアイコン画像に関するユーザ調査をより適切に行うことを目的の一つとする。本発明の実施形態の他の目的は、本明細書全体を参照することにより明らかとなる。
【課題を解決するための手段】
【０００７】
本発明の一実施形態に係るサーバは、１又は複数の端末装置と通信可能に接続されたサーバであって、情報を記憶する記憶装置と、所定の命令を実行する１又は複数の物理的なプロセッサと、を備え、前記物理的なプロセッサは、前記所定の命令を実行することによって、デジタルコンテンツに対応するアイコン画像を含むと共にユーザによって選択可能な複数の選択領域を有する選択用画面であって、１又は複数の調査対象デジタルコンテンツと１又は複数の非調査対象デジタルコンテンツとを含む複数のデジタルコンテンツにそれぞれ対応する複数の選択領域を有する第１の選択用画面を前記端末装置に表示させ、前記第１の選択用画面が有する前記複数の選択領域のうち少なくとも１つの選択領域の前記ユーザによる選択結果を前記記憶装置に記憶させ、前記複数のデジタルコンテンツにそれぞれ対応する複数の選択領域を有する第２の選択用画面であって、前記調査対象デジタルコンテンツに対応するアイコン画像は前記第１の選択用画面におけるアイコン画像と異なるアイコン画像が用いられ、前記非調査対象デジタルコンテンツに対応するアイコン画像は前記第１の選択用画面におけるアイコン画像と同一のアイコン画像が用いられる前記第２の選択用画面を前記端末装置に表示させ、前記第２の選択用画面が有する前記複数の選択領域のうち少なくとも１つの選択領域の前記ユーザによる選択結果を前記記憶装置に記憶させる。
【０００８】
本発明の一実施形態に係るサーバは、１又は複数の端末装置と通信可能に接続されたサーバであって、情報を記憶する記憶部と、前記端末装置に画面を表示させる表示制御部と、前記端末装置から前記画面を介して受け付けた情報を前記記憶部に記憶させる記憶制御部と、を備え、前記表示制御部は、デジタルコンテンツに対応するアイコン画像を含むと共にユーザによって選択可能な複数の選択領域を有する選択用画面であって、１又は複数の調査対象デジタルコンテンツと１又は複数の非調査対象デジタルコンテンツとを含む複数のデジタルコンテンツにそれぞれ対応する複数の選択領域を有する第１の選択用画面を前記端末装置に表示させ、前記記憶制御部は、前記第１の選択用画面が有する前記複数の選択領域のうち少なくとも１つの選択領域の前記ユーザによる選択結果を前記記憶装置に記憶させ、前記表示制御部は、前記複数のデジタルコンテンツにそれぞれ対応する複数の選択領域を有する第２の選択用画面であって、前記調査対象デジタルコンテンツに対応するアイコン画像は前記第１の選択用画面におけるアイコン画像と異なるアイコン画像が用いられ、前記非調査対象デジタルコンテンツに対応するアイコン画像は前記第１の選択用画面におけるアイコン画像と同一のアイコン画像が用いられる前記第２の選択用画面を前記端末装置に表示させ、前記記憶制御部は、前記第２の選択用画面が有する前記複数の選択領域のうち少なくとも１つの選択領域の前記ユーザによる選択結果を前記記憶装置に記憶させる。
【０００９】
本発明の一実施形態に係る方法は、１又は複数のコンピュータによって実行される方法であって、デジタルコンテンツに対応するアイコン画像を含むと共にユーザによって選択可能な複数の選択領域を有する選択用画面であって、１又は複数の調査対象デジタルコンテンツと１又は複数の非調査対象デジタルコンテンツとを含む複数のデジタルコンテンツにそれぞれ対応する複数の選択領域を有する第１の選択用画面を表示し、前記第１の選択用画面が有する前記複数の選択領域のうち少なくとも１つの選択領域の前記ユーザによる選択結果を記憶し、前記複数のデジタルコンテンツにそれぞれ対応する複数の選択領域を有する第２の選択用画面であって、前記調査対象デジタルコンテンツに対応するアイコン画像は前記第１の選択用画面におけるアイコン画像と異なるアイコン画像が用いられ、前記非調査対象デジタルコンテンツに対応するアイコン画像は前記第１の選択用画面におけるアイコン画像と同一のアイコン画像が用いられる前記第２の選択用画面を表示し、前記第２の選択用画面が有する前記複数の選択領域のうち少なくとも１つの選択領域の前記ユーザによる選択結果を記憶する。
【発明の効果】
【００１０】
本発明の様々な実施形態によって、デジタルコンテンツに対応するアイコン画像に関するユーザ調査をより適切に行うことができる。
【図面の簡単な説明】
【００１１】
【図１】本発明の一実施形態に係るサーバ１０を含むシステム１の構成を概略的に示すブロック図。
【図２】一実施形態におけるサーバ１０が有する機能を示すブロック図。
【図３】一実施形態におけるユーザ調査処理の一例を示すフロー図。
【図４】一実施形態における選択用画面６０の一例を示す図。
【図５】一実施形態における選択用画面６０の一例を示す図。
【図６】一実施形態における回答用画面７０の一例を示す図。
【図７】一実施形態における回答用画面７０の一例を示す図。
【図８】変形例の選択用画面１６０の一例を示す図。
【発明を実施するための形態】
【００１２】
図１は、本発明の一実施形態に係るサーバ１０を含むシステム１の構成を概略的に示すブロック図である。図１に示すように、一実施形態におけるサーバ１０は、一般的なコンピュータとして構成される複数の端末装置３０とインターネット等の通信網２０を介して通信可能に接続されており、アプリケーション、映画、音楽、及び電子書籍等のデジタルコンテンツに対応するアイコン画像に関するユーザ調査を行う。
【００１３】
サーバ１０は、図示のとおり、ＣＰＵ（物理的なプロセッサ）１１と、メインメモリ１２と、ユーザＩ／Ｆ１３と、通信Ｉ／Ｆ１４と、ストレージ（記憶装置）１５と、ディスクドライブ１６とを含み、これらの各構成要素がバス１７を介して互いに電気的に接続されている。ＣＰＵ１１は、ストレージ１５から様々なプログラムをメインメモリ１２にロードし、ロードしたプログラムに含まれる命令を実行する。メインメモリ１２は、ＣＰＵ１１が実行するプログラムを格納するために用いられ、例えば、ＤＲＡＭによって構成される。
【００１４】
ユーザＩ／Ｆ１３は、例えば、オペレータの入力を受け付けるキーボードやマウス等の情報入力装置と、ＣＰＵ１１の演算結果を出力する液晶ディスプレイ等の情報出力装置とを含む。通信Ｉ／Ｆ１４は、ハードウェア、ファームウェア、又はＴＣＰ／ＩＰドライバやＰＰＰドライバ等の通信用ソフトウェア又はこれらの組み合わせとして実装され、通信網２０を介して端末装置３０と通信可能に構成される。
【００１５】
ストレージ１５は、例えば磁気ディスクドライブ等で構成され、様々なプログラムや各種データが記憶され得る。ストレージ１５に記憶され得る各種データは、サーバ１０と通信可能に接続されるサーバ１０とは物理的に別体のデータベースサーバ等に格納されてもよい。ディスクドライブ１６は、ＣＤ−ＲＯＭ、ＤＶＤ−ＲＯＭ、ＤＶＤ−Ｒ等の各種の記憶メディアに格納されたデータを読み込み、又は、これらの記憶メディアにデータを書き込む。
【００１６】
一実施形態において、サーバ１０は、階層構造の複数のウェブページから成るウェブサイトを管理するウェブサーバとしても機能する。端末装置３０は、ウェブページを表示するためのＨＴＭＬデータをサーバ１０から取得し、取得したＨＴＭＬデータを解析して、当該ウェブページを端末装置３０のユーザに提示することができる。ＨＴＭＬデータは、ＨＴＭＬ等のマークアップ言語で記述されたＨＴＭＬ文書から成り、このＨＴＭＬ文書には、様々な画像が関連付けられている。また、ＨＴＭＬ文書には、各種スクリプト言語等で記述されたプログラムが埋め込まれ得る。
【００１７】
端末装置３０は、一実施形態において、サーバ１０から取得したウェブサイトのウェブページをウェブブラウザ上で表示すると共にアプリケーションプログラムを実行するためのアプリケーションプログラム実行環境を実装した任意の情報処理装置であり、パーソナルコンピュータ、スマートフォン、タブレット端末、及びゲーム専用端末等が含まれ得る。
【００１８】
端末装置３０は、図示のとおり、ＣＰＵ（物理的なプロセッサ）３１と、メインメモリ３２と、ユーザＩ／Ｆ３３と、通信Ｉ／Ｆ３４と、ストレージ３５と、を含み、これらの各構成要素がバス３６を介して互いに電気的に接続されている。
【００１９】
ＣＰＵ３１は、ストレージ３５から様々なプログラムをメインメモリ３２にロードし、ロードしたプログラムに含まれる命令を実行する。メインメモリ３２は、ＣＰＵ３１が実行するプログラムを格納するために用いられ、例えば、ＤＲＡＭによって構成される。
【００２０】
ユーザＩ／Ｆ３３は、ユーザの入力を受け付ける情報入力装置と、ＣＰＵ３１の演算結果を出力する情報出力装置であり、タッチパネルを備える液晶ディスプレイなどの表示装置を含む。
【００２１】
通信Ｉ／Ｆ３４は、ハードウェア、ファームウェア、又は、ＴＣＰ／ＩＰドライバやＰＰＰドライバ等の通信用ソフトウェア又はこれらの組み合わせとして実装され、通信網２０を介してサーバ１０と通信可能に構成される。
【００２２】
ストレージ３５は、例えば磁気ディスクドライブやフラッシュメモリ等により構成され、オペレーティングシステム及びアプリケーションプログラム等の様々なプログラム、並びにこれらのプログラムによって扱われる様々なデータを記憶し得る。
【００２３】
このようなアーキテクチャを有する端末装置３０は、例えば、ＨＴＭＬデータを解釈して画面表示するためのブラウザソフトウェアを備えており、このブラウザソフトウェアの機能によりサーバ１０から取得したＨＴＭＬデータを解釈して、受信したＨＴＭＬデータに対応するウェブページを表示することができる。また、端末装置３０は、ブラウザソフトウェアに組み込まれるプラグインソフトを備えており、ＨＴＭＬデータに埋め込まれたＳＷＦ形式等のファイルをサーバ１０又は他のサーバ等から取得し、当該ＳＷＦ形式のファイルをブラウザソフトウェア及びプラグインソフトを用いて実行することもできる。
【００２４】
端末装置３０においてブラウザソフトウェア又はアプリケーションプログラムが実行されると、例えば、プログラムにより指示されたアニメーションや操作用アイコンが端末装置３０に表示される。ユーザは、端末装置３０のユーザＩ／Ｆ３３を用いて各種指示を入力することができる。ユーザから入力された指示は、端末装置３０のブラウザやＮｇＣｏｒｅ（商標）等の実行環境の機能を通じてサーバ１０に伝達される。
【００２５】
端末装置３０において実行される複数のアプリケーションプログラムの少なくとも一部は、端末装置３０に表示する画面領域の少なくとも一部に、ＨＴＭＬデータを解釈してウェブページに相当する表示画面を表示可能な領域（ＷｅｂＶｉｅｗ領域）が設定されている。こうしたＷｅｂＶｉｅｗ領域が設定されているアプリケーションプログラムでは、端末装置３０に表示する画面のうち、ＷｅｂＶｉｅｗ領域の表示をサーバ１０に対して要求し、ＷｅｂＶｉｅｗ領域以外の領域の表示を端末装置３０（アプリケーションプログラム）によって行う。
【００２６】
次に、一実施形態におけるサーバ１０が有する機能について説明する。図２は、一実施形態におけるサーバ１０が有する機能を概略的に示すブロック図である。一実施形態におけるサーバ１０は、図示するように、情報を記憶する記憶部５１と、端末装置３０に画面を表示させる表示制御部５２と、端末装置３０から画面を介して受け付けた情報を記憶部５１に記憶させる記憶制御部５３と、を備える。これらの機能は、ＣＰＵ１１やメインメモリ１２、ストレージ１５に記憶されている各種プログラムやテーブルなどが協働して動作することによって実現され、例えば、ＣＰＵ１１がロードしたプログラムに含まれる命令を実行することによって実現される。記憶部５１は、ストレージ１５等によって実現される。
【００２７】
次に、こうして構成された一実施形態におけるサーバ１０の動作について説明する。図３は、一実施形態におけるサーバ１０によって実行されるユーザ調査処理の一例を示すフロー図である。このユーザ調査処理は、デジタルコンテンツに対応するアイコン画像に関するユーザ調査を行う処理であり、サーバ１０のＣＰＵ１１がメインメモリ１２にロードしたプログラムに含まれる命令を実行することによって実行される。また、このユーザ調査処理は、例えば、予め選定された複数の端末装置３０（複数のユーザ）に対して調査用のウェブページのＵＲＬが電子メール等を用いて通知され、端末装置３０からこのＵＲＬが示す調査用のウェブページにアクセスしたときに実行される。
【００２８】
ユーザ調査処理では、まず、図示するように、デジタルコンテンツに対応するアイコン画像を含むと共にユーザによって選択可能な複数の選択領域を有する選択用画面６０を端末装置３０に表示させる（ステップＳ１００）。このステップは、表示制御部５２の機能によって実現される。図４は、ステップＳ１００において表示される一実施形態における選択用画面６０（第１の選択用画面）の一例を示す。一実施形態における選択用画面６０は、図示するように、５つの選択領域６１−６５（５つのデジタルコンテンツにそれぞれ対応する選択領域）が縦方向に並べて配置されており、「つぎのうち、詳細を見たいと思うゲームを１つタップして下さい。」と表示されているように、ユーザが詳細を見たいと思う１つのデジタルコンテンツの選択を受け付けるようになっている。各選択領域６１−６５は、左側にデジタルコンテンツに対応するアイコン画像が表示され、右側に、デジタルコンテンツの名称（タイトル名）、デジタルコンテンツの提供者名（会社名）、ユーザによるレビュー結果を星印で示すレビュー情報、及びデジタルコンテンツの価格（無料を含む）が表示されている。この例では、縦方向に並べて配置されている５つの選択領域６１−６５のうち、中央の選択領域６３に対応するデジタルコンテンツ（タイトルＣ）が、アイコン画像に関するユーザ調査の対象である調査対象デジタルコンテンツであり、その他の選択領域６１、６２、６４、６５に対応するデジタルコンテンツが、調査の対象でない非調査対象デジタルコンテンツである。
【００２９】
そして、ユーザによって何れか１つの選択領域が選択されると、２回目の選択用画面６０を端末装置３０に表示させる（ステップＳ１１０）。このステップは、表示制御部５２の機能によって実現される。図５は、ステップＳ１１０において表示される一実施形態における２回目の選択用画面６０（第２の選択用画面）の一例を示す。２回目の選択用画面６０は、上述したステップＳ１００において表示される選択用画面６０（１回目の選択用画面６０）と同様の画面構成を有するが、調査対象デジタルコンテンツ（この例では「タイトルＣ」）のアイコン画像が１回目の選択用画面６０と異なる。即ち、２回目の選択用画面６０では、調査対象デジタルコンテンツに対応する選択領域６３のアイコン画像は１回目の選択用画面６０におけるアイコン画像（画像Ｃ１）と異なるアイコン画像（画像Ｃ２）が用いられ、非調査対象デジタルコンテンツに対応するアイコン画像は１回目の選択用画面６０におけるアイコン画像と同一のアイコン画像が用いられている。また、図示するように、５つのデジタルコンテンツにそれぞれ対応する５つの選択領域は、１回目の選択用画面６０及び２回目の選択用画面６０において、縦方向に同一の順序で並べて配置されている。従って、調査対象デジタルコンテンツに対応するアイコン画像の候補（この例における「画像Ｃ１」及び「画像Ｃ２」）は、同一の条件（同一の非調査対象デジタルコンテンツに対応するアイコン画像の配置）にて、端末装置３０のユーザに対して提示されることになる。
【００３０】
そして、２回目の選択用画面６０において、ユーザによって何れか１つの選択領域が選択されると、３回目の選択用画面６０を端末装置３０に表示させる（ステップＳ１２０）。このステップは、表示制御部５２の機能によって実現される。図示は省略するが、３回目の選択用画面６０は、上述した１回目及び２回目の選択用画面６０と同様の画面構成を有するが、調査対象デジタルコンテンツのアイコン画像が異なる。即ち、３回目の選択用画面６０では、調査対象デジタルコンテンツに対応する選択領域６３のアイコン画像は１回目及び２回目の選択用画面６０におけるアイコン画像と異なるアイコン画像（画像Ｃ３）が用いられ、非調査対象デジタルコンテンツに対応するアイコン画像は１回目及び２回目の選択用画面６０におけるアイコン画像と同一のアイコン画像が用いられている。なお、３回目の選択用画面６０においても、５つのデジタルコンテンツにそれぞれ対応する５つの選択領域は、１回目の選択用画面６０及び２回目の選択用画面６０と同一の順序で縦方向に並べて配置されている。
【００３１】
そして、３回目の選択用画面６０において、ユーザによって何れか１つの選択領域が選択されると、上述した１回目−３回目の各選択用画面６０においてユーザによってそれぞれ選択されたアイコン画像毎のアンケートの回答を入力可能な回答用画面７０を端末装置３０に表示させる（ステップＳ１３０）。このステップは、表示制御部５２の機能によって実現される。図６は、一実施形態における回答用画面７０の一例を示す。図示するように、一実施形態における回答用画面７０は、アイコン画像にそれぞれ対応する複数のタブ７１−７３と、この複数のタブ７１−７３のうち選択されているタブに対応するアイコン画像のアンケートの回答が入力可能となるようにアンケートの設問が表示されるタブページ７５と、完了ボタン７７とを有する。この例では、アンケートの設問としてユーザがアイコン画像を選択した理由を示す複数の選択肢を表示し、ユーザは、チェックボックスを用いて該当する理由を選択することができるようになっている。図示するように、タブ７１−７３には対応するアイコン画像が配置されており、ユーザは、タブ７１−７３にそれぞれ対応するアイコン画像を容易に視認することができる。さらに、タブ形式にしたことで、１つのページ内にアイコン画像ごとの設問を並べる場合と比較して、ユーザが設問に回答する際に画面をスクルロールさせる手間を省くことができる。また、一実施形態における回答用画面７０は、タブ７１−７３毎に異なる色・模様が付されており、タブページ７５の外縁部分は、選択されているタブと同じ色・模様が付されて表示される。例えば、図６の例では、タブ７２が選択されているため、タブページ７５の外縁部分は、タブ７２と同じ色・模様が付されて表示されている。図７は、タブ７２に代えてタブ７３が選択されている一実施形態における回答用画面７０を示す。図示するように、一実施形態における回答用画面７０のタブページ７５は、選択されているタブにかかわらず同一のアンケートの設問が表示されるが、タブページ７５の外縁部分は、選択されているタブ７３と同じ色・模様が付されて表示されている。このように、選択されているタブ毎に異なる表示態様でタブページ７５を表示するから、同一のアンケートの設問が表示されていても、ユーザに、現在回答しているタブ（アイコン画像）を容易に認識させることができる。一実施形態において、さらに、選択されていないタブを暗く表示するようにしてもよい。これにより、ユーザに、現在回答しているタブ（アイコン画像）を認識させることがさらに容易となる。
【００３２】
そして、ユーザによって回答用画面７０の完了ボタン７７が選択されると、調査結果をストレージ１５等に記憶して（ステップＳ１４０）、このユーザ調査処理を終了する。このステップは、記憶制御部５３の機能によって実現される。ストレージ１５等に記憶される調査結果としては、１回目−３回目の選択用画面６０を介してそれぞれ選択されたデジタルコンテンツ（アイコン画像）及び回答用画面７０を介して入力されたアンケートの回答内容が少なくとも含まれ得る。このユーザ調査処理が複数の端末装置３０に対して実行されることによって、調査結果がストレージ１５等に蓄積され、この蓄積された複数の端末装置３０のユーザからの調査結果に基づいて、デジタルコンテンツの提供者は、例えば、調査対象デジタルコンテンツに対応するアイコン画像の複数の候補の中から、最も多くのユーザによって選択された（選択用画面６０においてタップされた）アイコン画像を実際に採用することができる。また、回答用画面７０では、調査対象デジタルコンテンツのみならず、非調査対象デジタルコンテンツに対応するアイコン画像を含めてユーザがアイコン画像を選択した理由をユーザに入力させ、これらの情報を調査結果としてストレージ１５等に記憶するから、デジタルコンテンツの提供者は、アイコン画像に関する一般的なユーザの嗜好をも知ることができる。
【００３３】
上述したユーザ調査処理では、ステップＳ１４０においてまとめて調査結果を記憶するようにしたが、ステップＳ１００−ステップＳ１３０においてユーザによる選択及び回答がなされる都度、その選択及び回答結果をストレージ１５等に記憶するようにしても良い。また、上述したユーザ調査処理では、調査対象デジタルコンテンツの数が１つである場合を例示したが、調査対象デジタルコンテンツの数は複数であっても構わない。また、非調査対象デジタルコンテンツの数も特に制限されず、１又は複数の任意の数とすることができる。
【００３４】
以上説明した一実施形態におけるサーバ１０では、デジタルコンテンツに対応するアイコン画像を含むと共にユーザによって選択可能な複数の選択領域を有する選択用画面であって、１又は複数の調査対象デジタルコンテンツと１又は複数の非調査対象デジタルコンテンツとを含む複数のデジタルコンテンツにそれぞれ対応する複数の選択領域を有する１回目の選択用画面６０を表示し、この１回目の選択用画面が有する複数の選択領域のうち少なくとも１つの選択領域のユーザによる選択結果を記憶し、この複数のデジタルコンテンツにそれぞれ対応する複数の選択領域を有する２回目の選択用画面６０であって、調査対象デジタルコンテンツに対応するアイコン画像は１回目の選択用画面６０におけるアイコン画像と異なるアイコン画像が用いられ、非調査対象デジタルコンテンツに対応するアイコン画像は１回目の選択用画面６０におけるアイコン画像と同一のアイコン画像が用いられる２回目の選択用画面６０を表示し、この２回目の選択用画面６０が有する複数の選択領域のうち少なくとも１つの選択領域のユーザによる選択結果を記憶する。従って、調査対象デジタルコンテンツに対応する複数のアイコン画像の候補に関し、非調査対象デジタルコンテンツに対応する同一のアイコン画像との比較に基づくユーザの選択を調査することができる。この結果、デジタルコンテンツに対応するアイコン画像に関するユーザ調査をより適切に行うことができる。
【００３５】
また、一実施形態のサーバ１０では、選択用画面６０においてユーザによって何れか１つの選択領域が選択されると次の選択用画面６０が表示され、例えば、ユーザが選択用画面６０上で１回のタップ操作をするだけで、調査対象デジタルコンテンツに対応するアイコン画像が異なる次の選択用画面６０に遷移する。従って、端末装置３０のユーザに対して良好な操作性を実現することができるから、ユーザに対して過剰なストレスを与え難くなり、この結果、デジタルコンテンツに対応するアイコン画像に関するユーザ調査をより適切に行うことができる。また、一実施形態のサーバ１０では、ユーザは、選択用画面６０において、縦方向に並べて配置された複数のデジタルコンテンツに対応する選択領域の中から１つの選択領域を選択するのみであるから、例えば、コンテンツ配信サイト等において一覧表示されているデジタルコンテンツの中から所望のデジタルコンテンツを選択する際と同様の操作性を実現することができる。更に、デジタルコンテンツに対応する選択領域は、各選択用画面６０において、縦方向に同一の順序で並べて配置されているから、各選択用画面６０において選択領域の並び順が同一でない場合と比較して、選択領域の並び順に起因するユーザに与える印象の相違を低減することができる。
【００３６】
また、一実施形態のサーバ１０では、１回目−３回目の各選択用画面６０においてユーザによってそれぞれ選択されたアイコン画像毎のアンケートの回答を入力可能な回答用画面７０を端末装置３０に表示させる。従って、選択用画面６０においてユーザによって（例えば、タップ操作によって）何れか１つの選択領域が選択されると次々に選択用画面６０が表示され、その後、各選択用画面６０において選択されたアイコン画像毎のアンケートの回答を単一の画面（回答用画面７０）において受け付けることができる。従って、端末装置３０のユーザに対して良好な操作性を実現しつつ、アイコン画像毎のより詳細なアンケートの回答を得ることができる。この結果、デジタルコンテンツに対応するアイコン画像に関するユーザ調査をより適切に行うことができる。
【００３７】
上述した一実施形態では、デジタルコンテンツに対応するアイコン画像を含むと共にユーザによって選択可能な複数の選択領域を有する選択用画面として選択用画面６０を例示したが、選択用画面の画面構成はこれに限られない。図８は、上述した選択用画面６０の変形例である選択用画面１６０の一例を示す。変形例の選択用画面１６０は、図示するように、複数のアイコン画像（この例では３×４＝１２つのアイコン画像）が縦方向及び横方向に並べて格子状に選択領域として配置されており、この例では、複数のアイコン画像のうち、ユーザに対して３つのアイコン画像を選択させるようになっている。変形例の選択用画面１６０においても、上述の選択用画面６０と同様に、調査対象デジタルコンテンツに対応するアイコン画像と非調査対象デジタルコンテンツに対応するアイコン画像とが含まれ、図８の例では、右上隅に配置されているアイコン画像１６１が、調査対象デジタルコンテンツに対応するアイコン画像である。また、図８に示すように、表示されている複数のアイコン画像の中からユーザがアイコン画像を選択すると、選択された順序を示す画像がアイコン画像に重畳して表示される。図８の例では、画像Ｄ（上から２行目の左端のアイコン画像）、画像Ｈ（上から３行目の中央のアイコン画像）、画像Ｂ（上から１行目の中央のアイコン画像）の順にユーザが選択したことになる。この結果、ユーザは、現在選択されているアイコン画像の数を容易に認識することができる。また、ユーザは、選択したアイコン画像を再度選択することで、アイコン画像の選択をキャンセルすることができる。そして、ユーザが次へボタン１６３を選択すると、２回目の選択用画面１６０が表示され、上述した一実施形態における選択用画面６０と同様に、２回目の選択用画面１６０では、調査対象デジタルコンテンツに対応するアイコン画像は１回目の選択用画面１６０におけるアイコン画像と異なるアイコン画像が用いられ、非調査対象デジタルコンテンツに対応するアイコン画像は１回目の選択用画面１６０におけるアイコン画像と同一のアイコン画像が用いられる。
【００３８】
図８に例示した選択用画面１６０において、ユーザが詳細を見たいと思うアイコン画像の順番を回答させる設問とすることもできる。この場合、ユーザがアイコン画像を選択する順番が、詳細を見たいと思うアイコン画像の順番に対応する。図８の例では、画像Ｄ、画像Ｈ、画像Ｂの順に、詳細を見たいと思うアイコン画像ということになる。ここで、ユーザが選択したアイコン画像をキャンセルする場合、ユーザがキャンセルしたアイコン画像以外のアイコン画像に付与されている番号（アイコン画像の順番）は変化しないようにすることもできる。即ち、図８において、例えば「（１）」の画像が重畳して表示されているアイコン画像をユーザがキャンセルした場合には、「（２）」及び「（３）」の画像が重畳して表示されているアイコン画像の順番については変化しない。これによって、ユーザは、アイコン画像を選択し直す際に、選択されている他のアイコン画像については選択した順番を保ったまま、キャンセルしたアイコン画像の順番に対応するアイコン画像のみを選択し直すことができる。
【００３９】
なお、変形例の選択用画面１６０と同様の画面構成を有する画面を用いて、ユーザのデジタルコンテンツに対する趣味嗜好を把握することもできる。例えば、画面上に表示する複数のアイコン画像を、対応するデジタルコンテンツをユーザがイメージし易いようなアイコン画像とすることで、アイコン画像の選択結果からユーザのデジタルコンテンツに対する趣味嗜好を把握することができる。
【００４０】
本明細書で説明された処理及び手順は、実施形態中で明示的に説明されたもの以外にも、ソフトウェア、ハードウェアまたはこれらの任意の組み合わせによって実現される。より具体的には、本明細書で説明される処理及び手順は、集積回路、揮発性メモリ、不揮発性メモリ、磁気ディスク、光ストレージ等の媒体に、当該処理に相当するロジックを実装することによって実現される。また、本明細書で説明される処理及び手順は、それらの処理・手順をコンピュータプログラムとして実装し、各種のコンピュータに実行させることが可能である。
【００４１】
本明細書中で説明される処理及び手順が単一の装置、ソフトウェア、コンポーネント、モジュールによって実行される旨が説明されたとしても、そのような処理または手順は複数の装置、複数のソフトウェア、複数のコンポーネント、及び／又は複数のモジュールによって実行され得る。また、本明細書中で説明されるデータ、テーブル、又はデータベースが単一のメモリに格納される旨説明されたとしても、そのようなデータ、テーブル、又はデータベースは、単一の装置に備えられた複数のメモリまたは複数の装置に分散して配置された複数のメモリに分散して格納され得る。さらに、本明細書において説明されるソフトウェアおよびハードウェアの要素は、それらをより少ない構成要素に統合して、またはより多い構成要素に分解することによって実現することも可能である。
【００４２】
本明細書において、発明の構成要素が単数もしくは複数のいずれか一方として説明された場合、又は、単数もしくは複数のいずれとも限定せずに説明された場合であっても、文脈上別に解すべき場合を除き、当該構成要素は単数又は複数のいずれであってもよい。
【符号の説明】
【００４３】
１  システム
１０  サーバ
２０  通信網
３０  端末装置
６０、１６０  選択用画面
７０  回答用画面
【図１】
2015197887.tif 000003
【図２】
2015197887.tif 000004
【図３】
2015197887.tif 000005
【図４】
2015197887.tif 000006
【図５】
2015197887.tif 000007
【図６】
2015197887.tif 000008
【図７】
2015197887.tif 000009
【図８】
2015197887.tif 000010